(57)【要約】【課題】本発明は注意機能付きのコップを開示した。【解決手段】上コップ本体と下コップ本体とを含み、前記下コップ本体の上端面には取り付け溝が設けられ、前記上コップ本体の下端面には取り付け部が設けられ、前記取り付け部が前記取り付け溝の中にねじ山によって連結され、前記上コップ本体の中には保温チャンバと降温チャンバとが設けられ、前記降温チャンバと前記保温チャンバとがいずれも上方へ開口しており、且つ前記降温チャンバと前記保温チャンバとの開口の中には蓋が取り付けられ、前記保温チャンバの周囲の内壁の中には保温層が設けられ、前記保温チャンバと前記降温チャンバとが連通穴によって連通しており、前記連通穴の中にはバルブ機構が設けられている。【選択図】図１
2020182804.tif 000002
【特許請求の範囲】
【請求項１】
正面視で、上コップ本体と下コップ本体とを含み、前記下コップ本体の上端面には取り付け溝が設けられ、前記上コップ本体の下端面には取り付け部が設けられ、前記取り付け部が前記取り付け溝の中にねじ山によって連結され、前記上コップ本体の中には保温チャンバと降温チャンバとが設けられ、前記降温チャンバと前記保温チャンバとがいずれも上方へ開口しており、且つ前記降温チャンバと前記保温チャンバとの開口の中には蓋が取り付けられ、前記保温チャンバの周囲の内壁の中には保温層が設けられ、前記保温チャンバと前記降温チャンバとが連通穴によって連通しており、前記連通穴の中にはバルブ機構が設けられ、前記上コップ本体の外表面にはスピーカーが設けられ、前記下コップ本体の中には前記取り付け溝と連通した回転チャンバが設けられ、前記回転チャンバが左へ開口しており、前記回転チャンバの底壁には回転軸が回転できるように設けられ、前記回転軸の上端には回転板が固定的に設けられ、前記回転板の中には上下に貫通したスライド溝が四組設けられ、前記スライド溝の中には押しロッドがスライドできるように設けられ、前記押しロッドと前記スライド溝の内壁との間にはバネが連結され、前記押しロッドの上端には押し出し箱が固定的に設けられ、前記押し出し箱の中には上方に開口した薬入れチャンバが設けられ、使用時に前記上コップ本体を回して外し、薬をそれぞれ前記薬入れチャンバの中に入れ、前記下コップ本体の中には動力機構が設けられ、前記動力機構が前記バルブ機構と前記スピーカーと通電できるように連結され、前記バルブ機構を定時に起動するように設定することができ、指定の時間が経つと、前記バルブ機構が作動し前記保温チャンバの中のお湯を前記降温チャンバの中に入れて冷やし、一定の時間が経つと、前記動力機構が作動し、前記回転軸を九十度に回転させ、回転完了後、前記動力機構が前記押しロッドを移動連動させ、前記押し出し箱を前記下コップ本体から伸び出させ、このとき前記スピーカーが作動し注意を行い、使用者は前記薬入れチャンバの中の薬を取り出して前記降温チャンバの中の水で飲むことができることを特徴とする注意機能付きのコップ。
【請求項２】
前記薬入れチャンバの内壁の中には押板がスライドできるように設けられ、前記薬入れチャンバの外端面にはスライドレールが設けられ、前記スライドレールの中には前記押板と固定的に連結された制御ブロックが固定的に連結され、前記押し出し箱が伸び出した後、前記制御ブロックを上へスライドさせ、前記押板によって前記薬入れチャンバの中の薬を上げて出すことを特徴とする請求項１に記載の注意機能付きのコップ。
【請求項３】
前記動力機構は前記下コップ本体の中に設置された歯車チャンバを含み、前記歯車チャンバの底壁には主モーターが固定的に設けられ、前記主モーターには動力軸が伝動できるように連結され、前記動力軸の上端には扇形歯車が固定的に設けられ、前記回転軸の下端が前記歯車チャンバの中に伸びており、且つ前記回転軸の下端には回転歯車が固定的に設けられ、前記下コップ本体の中には旋転チャンバが設けられ、前記歯車チャンバの底壁には前記旋転チャンバの中に伸びた伝動軸が回転できるように設けられ、前記伝動軸の上端には伝動歯車が固定的に設けられ、前記伝動軸の下端には回転盤が固定的に設けられ、前記回転チャンバの底壁の中には前記歯車チャンバに連通した中間穴が設けられ、前記中間穴の中には中間ロッドがスライドできるように設けられ、前記中間ロッドと前記回転盤の下端面との間にはヒンジロッドがヒンジによって連結され、前記中間ロッドの上端には弓形板が固定的に設けられ、前記押しロッドの下端面には弓形溝が設けられ、前記主モーターが作動するとき、まず前記回転軸を回転連動させ、そして前記弓形板によって前記押しロッドを押し動かすことを特徴とする請求項１に記載の注意機能付きのコップ。
【請求項４】
前記バルブ機構は前記連通穴の頂壁の中に設けられた収納溝を含み、前記収納溝の中には隔て板がスライドできるように設けられ、前記収納溝の頂壁には副モーターが固定的に設けられ、前記副モーターの下端には親ねじが伝動できるように連結され、前記隔て板と前記親ねじとがねじ山によって連結され、前記副モーターが前記主モーターと前記スピーカーと通電できるように連結されていることを特徴とする請求項１に記載の注意機能付きのコップ。
【発明の詳細な説明】
【技術分野】
【０００１】
本発明はコップ分野を取り上げて、具体的には注意機能付きのコップである。
【背景技術】
【０００２】
薬を飲む必要のある人は常に保温水筒と薬とを持ち歩くが、忙しくて薬を飲むのを忘れることが多い。また保温水筒の中の水の温度が高いため、薬を飲む時に火傷しやすい。そして、水の温度が下がった後に飲むには長い時間を待たねばならない。上記の問題に対し、本装置を提出する。
【先行技術文献】
【特許文献】
【０００３】
【特許文献１】中国特許出願公開第１０１９６６０５１号明細書
【発明の概要】
【発明が解決しようとする課題】
【０００４】
本発明の目的は注意機能付きのコップを提供し、それは上記の現在の技術中の問題を解決できる。
【課題を解決するための手段】
【０００５】
上記の課題を解決するため、本発明は以下の技術プランを採用する：本発明装置の注意機能付きのコップは、上コップ本体と下コップ本体とを含み、前記下コップ本体の上端面には取り付け溝が設けられ、前記上コップ本体の下端面には取り付け部が設けられ、前記取り付け部が前記取り付け溝の中にねじ山によって連結され、前記上コップ本体の中には保温チャンバと降温チャンバとが設けられ、前記降温チャンバと前記保温チャンバとがいずれも上方へ開口しており、且つ前記降温チャンバと前記保温チャンバとの開口の中には蓋が取り付けられ、前記保温チャンバの周囲の内壁の中には保温層が設けられ、前記保温チャンバと前記降温チャンバとが連通穴によって連通しており、前記連通穴の中にはバルブ機構が設けられ、前記上コップ本体の外表面にはスピーカーが設けられ、前記下コップ本体の中には前記取り付け溝と連通した回転チャンバが設けられ、前記回転チャンバが左へ開口しており、前記回転チャンバの底壁には回転軸が回転できるように設けられ、前記回転軸の上端には回転板が固定的に設けられ、前記回転板の中には上下に貫通したスライド溝が四組設けられ、前記スライド溝の中には押しロッドがスライドできるように設けられ、前記押しロッドと前記スライド溝の内壁との間にはバネが連結され、前記押しロッドの上端には押し出し箱が固定的に設けられ、前記押し出し箱の中には上方に開口した薬入れチャンバが設けられ、使用時に前記上コップ本体を回して外し、薬をそれぞれ前記薬入れチャンバの中に入れ、前記下コップ本体の中には動力機構が設けられ、前記動力機構が前記バルブ機構と前記スピーカーと通電できるように連結され、前記バルブ機構を定時に起動するように設定することができ、指定の時間が経つと、前記バルブ機構が作動し前記保温チャンバの中のお湯を前記降温チャンバの中に入れて冷やし、一定の時間が経つと、前記動力機構が作動し、前記回転軸を九十度に回転させ、回転完了後、前記動力機構が前記押しロッドを移動連動させ、前記押し出し箱を前記下コップ本体から伸び出させ、このとき前記スピーカーが作動し注意を行い、使用者は前記薬入れチャンバの中の薬を取り出して前記降温チャンバの中の水で飲むことができる。
【０００６】
優選の技術プランとして、前記薬入れチャンバの内壁の中には押板がスライドできるように設けられ、前記薬入れチャンバの外端面にはスライドレールが設けられ、前記スライドレールの中には前記押板と固定的に連結された制御ブロックが固定的に連結され、前記押し出し箱が伸び出した後、前記制御ブロックを上へスライドさせ、前記押板によって前記薬入れチャンバの中の薬を上げて出す。
【０００７】
優選の技術プランとして、前記動力機構は前記下コップ本体の中に設置された歯車チャンバを含み、前記歯車チャンバの底壁には主モーターが固定的に設けられ、前記主モーターには動力軸が伝動できるように連結され、前記動力軸の上端には扇形歯車が固定的に設けられ、前記回転軸の下端が前記歯車チャンバの中に伸びており、且つ前記回転軸の下端には回転歯車が固定的に設けられ、前記下コップ本体の中には旋転チャンバが設けられ、前記歯車チャンバの底壁には前記旋転チャンバの中に伸びた伝動軸が回転できるように設けられ、前記伝動軸の上端には伝動歯車が固定的に設けられ、前記伝動軸の下端には回転盤が固定的に設けられ、前記回転チャンバの底壁の中には前記歯車チャンバに連通した中間穴が設けられ、前記中間穴の中には中間ロッドがスライドできるように設けられ、前記中間ロッドと前記回転盤の下端面との間にはヒンジロッドがヒンジによって連結され、前記中間ロッドの上端には弓形板が固定的に設けられ、前記押しロッドの下端面には弓形溝が設けられ、前記主モーターが作動するとき、まず前記回転軸を回転連動させ、そして前記弓形板によって前記押しロッドを押し動かす。
【０００８】
優選の技術プランとして、前記バルブ機構は前記連通穴の頂壁の中に設けられた収納溝を含み、前記収納溝の中には隔て板がスライドできるように設けられ、前記収納溝の頂壁には副モーターが固定的に設けられ、前記副モーターの下端には親ねじが伝動できるように連結され、前記隔て板と前記親ねじとがねじ山によって連結され、前記副モーターが前記主モーターと前記スピーカーと通電できるように連結されている。
【発明の効果】
【０００９】
本発明を使用するとき、薬を本発明の指定位置に置き、本発明で時間を設定することにより、指定の時間が経つと、装置は使用者に注意し、自動的に薬を出すことができ、また、使用者が薬を飲むことに便利を与えるため、薬を出す前に、本発明はすでに一部のお湯を冷やし、使用者は忙しくて薬を飲むことを忘ることを避け、そして、水温が高いことによって火傷する危険性を防ぐ。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の注意機能付きのコップの全体構成略図
【図２】図２は図１のＡ―Ａの構成略図
【図３】図３は図１のＢ―Ｂの構成略図
【図４】図４は図１のＣ―Ｃの構成略図
【図５】図５は図１のＤの構成略図
【図６】図６は図１のＥの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜６に示したように、本発明装置の注意機能付きのコップは、上コップ本体１０と下コップ本体２７とを含み、前記下コップ本体２７の上端面には取り付け溝３２が設けられ、前記上コップ本体１０の下端面には取り付け部３３が設けられ、前記取り付け部３３が前記取り付け溝３２の中にねじ山によって連結され、前記上コップ本体１０の中には保温チャンバ１２と降温チャンバ１４とが設けられ、前記降温チャンバ１４と前記保温チャンバ１２とがいずれも上方へ開口しており、且つ前記降温チャンバ１４と前記保温チャンバ１２との開口の中には蓋１３が取り付けられ、前記保温チャンバ１２の周囲の内壁の中には保温層１１が設けられ、前記保温チャンバ１２と前記降温チャンバ１４とが連通穴４４によって連通しており、前記連通穴４４の中にはバルブ機構１００が設けられ、前記上コップ本体１０の外表面にはスピーカー１５が設けられ、前記下コップ本体２７の中には前記取り付け溝３２と連通した回転チャンバ２８が設けられ、前記回転チャンバ２８が左へ開口しており、前記回転チャンバ２８の底壁には回転軸３７が回転できるように設けられ、前記回転軸３７の上端には回転板３１が固定的に設けられ、前記回転板３１の中には上下に貫通したスライド溝３０が四組設けられ、前記スライド溝３０の中には押しロッド２０がスライドできるように設けられ、前記押しロッド２０と前記スライド溝３０の内壁との間にはバネ３６が連結され、前記押しロッド２０の上端には押し出し箱３４が固定的に設けられ、前記押し出し箱３４の中には上方に開口した薬入れチャンバ３５が設けられ、使用時に前記上コップ本体１０を回して外し、薬をそれぞれ前記薬入れチャンバ３５の中に入れ、前記下コップ本体２７の中には動力機構２００が設けられ、前記動力機構２００が前記バルブ機構１００と前記スピーカー１５と通電できるように連結され、前記バルブ機構１００を定時に起動するように設定することができ、指定の時間が経つと、前記バルブ機構１００が作動し前記保温チャンバ１２の中のお湯を前記降温チャンバ１４の中に入れて冷やし、一定の時間が経つと、前記動力機構２００が作動し、前記回転軸３７を九十度に回転させ、回転完了後、前記動力機構２００が前記押しロッド２０を移動連動させ、前記押し出し箱３４を前記下コップ本体２７から伸び出させ、このとき前記スピーカー１５が作動し注意を行い、使用者は前記薬入れチャンバ３５の中の薬を取り出して前記降温チャンバ１４の中の水で飲むことができる。
【００１４】
有益に、前記薬入れチャンバ３５の内壁の中には押板４７がスライドできるように設けられ、前記薬入れチャンバ３５の外端面にはスライドレール４５が設けられ、前記スライドレール４５の中には前記押板４７と固定的に連結された制御ブロック４６が固定的に連結され、前記押し出し箱３４が伸び出した後、前記制御ブロック４６を上へスライドさせ、前記押板４７によって前記薬入れチャンバ３５の中の薬を上げて出す。
【００１５】
有益に、前記動力機構２００は前記下コップ本体２７の中に設置された歯車チャンバ１７を含み、前記歯車チャンバ１７の底壁には主モーター２２が固定的に設けられ、前記主モーター２２には動力軸２３が伝動できるように連結され、前記動力軸２３の上端には扇形歯車２４が固定的に設けられ、前記回転軸３７の下端が前記歯車チャンバ１７の中に伸びており、且つ前記回転軸３７の下端には回転歯車２５が固定的に設けられ、前記下コップ本体２７の中には旋転チャンバ６０が設けられ、前記歯車チャンバ１７の底壁には前記旋転チャンバ６０の中に伸びた伝動軸１８が回転できるように設けられ、前記伝動軸１８の上端には伝動歯車１６が固定的に設けられ、前記伝動軸１８の下端には回転盤１９が固定的に設けられ、前記回転チャンバ２８の底壁の中には前記歯車チャンバ１７に連通した中間穴６１が設けられ、前記中間穴６１の中には中間ロッド２６がスライドできるように設けられ、前記中間ロッド２６と前記回転盤１９の下端面との間にはヒンジロッド２１がヒンジによって連結され、前記中間ロッド２６の上端には弓形板２９が固定的に設けられ、前記押しロッド２０の下端面には弓形溝３８が設けられ、前記主モーター２２が作動するとき、まず前記回転軸３７を回転連動させ、そして前記弓形板２９によって前記押しロッド２０を押し動かす。
【００１６】
有益に、前記バルブ機構１００は前記連通穴４４の頂壁の中に設けられた収納溝４０を含み、前記収納溝４０の中には隔て板４１がスライドできるように設けられ、前記収納溝４０の頂壁には副モーター３９が固定的に設けられ、前記副モーター３９の下端には親ねじ４２が伝動できるように連結され、前記隔て板４１と前記親ねじ４２とがねじ山によって連結され、前記副モーター３９が前記主モーター２２と前記スピーカー１５と通電できるように連結されている。
【００１７】
前記注意機能付きのコップの実現方法は、以下のステップを含む：
【００１８】
使用する前に、左側の蓋１３を開け、お湯を保温チャンバ１２の中に入れて保温し、保温層１１と下コップ本体２７とを離脱させ、薬をそれぞれ薬入れチャンバ３５の中に入れ、そして取り付け部３３を取り付け溝３２の中に回し入れ、指定の時間が経つと、副モーター３９が作動し親ねじ４２を回転させ、隔て板４１が上へ移動し保温チャンバ１２と降温チャンバ１４とを連通させ、降温チャンバ１４が保温機構を持っていないため、お湯の温度は降温チャンバ１４の中で快速に下がることができ、一定の時間が経つと、副モーター３９が作動し反転し隔て板４１を復帰させ、主モーター２２が作動し動力軸２３によって扇形歯車２４を回転連動させ、扇形歯車２４と回転歯車２５との噛合によって回転軸３７を回転させ、回転軸３７が回転板３１と押し出し箱３４とを回転連動させ、回転軸３７が九十度に回転した後、副モーター３９が弓形溝３８の中に挿入され、扇形歯車２４が回転歯車２５から離れて伝動歯車１６と噛合し、伝動軸１８によって回転盤１９を回転連動させ、ヒンジロッド２１と、中間ロッド２６と、弓形板２９と、弓形溝３８とによって押しロッド２０を押し動かし、薬入れチャンバ３５を外部まで伸び出させ、このとき主モーター２２が止め、スピーカー１５が作動し注意し、使用者は上へ制御ブロック４６をスライドさせ、押板４７によって薬入れチャンバ３５の中の薬を上げて取り出し、そして降温チャンバ１４の中の水で薬を飲むことができる。
【００１９】
主モーター２２が再び作動し、伝動歯車１６を回転連動させ、押し出し箱３４を復帰させ、扇形歯車２４が復帰する。
【００２０】
以上のように、本発明を使用するとき、薬を本発明の指定位置に置き、本発明で時間を設定することにより、指定の時間が経つと、装置は使用者に注意し、自動的に薬を出すことができ、また、使用者が薬を飲むことに便利を与えるため、薬を出す前に、本発明はすでに一部のお湯を冷やし、使用者は忙しくて薬を飲むことを忘ることを避け、そして、水温が高いことによって火傷する危険性を防ぐ。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182804.tif 000003
【図２】
2020182804.tif 000004
【図３】
2020182804.tif 000005
【図４】
2020182804.tif 000006
【図５】
2020182804.tif 000007
【図６】
2020182804.tif 000008